(57)【要約】【課題】  大きな設置スペースを必要とすることなく、非常時に衛生的な水を供給する。【解決手段】  給水系統の配水管１に逆流防止手段を介して通水管３が接続され、さらに給水設備に繋がる給水管６が接続される。通水管３は、第１通水管３１および第２通水管３２を備えて、逆流防止手段の下流側で複数の管路に分岐されている。第１通水管３１は、下流側で切替弁７を介して中継管３５に接続され、中継管３５が給水管６に接続されている。平常時、切替弁７は空気源８との接続を遮断し、第１通水管３１と中継管３５とを連通している。配水管１からの水は通水管３を経て給水管へ供給される。これに対し、非常時には、切替弁７は中継管３５との接続を遮断し、第１通水管３１と空気源８とを連通する。空気源８から第１通水管３１へ供給される加圧空気を給水圧として、第１通水管３１および第２通水管３２に存する水が給水管６へ供給される。【選択図】  図１
2017053136.tif 000002
【特許請求の範囲】
【請求項１】
給水系統の配水管に逆流防止手段を介して通水管が接続され、前記通水管に、給水設備に繋がる給水管が接続されて、配水管からの水が通水管を経由して給水管へ送られる給水システムであって、
通水管は、複数の分岐通水管を備えて、逆流防止手段の下流側で複数の管路に分岐されるとともに給水管の上流側でこれらの管路が合流され、
前記分岐通水管のうちの一つは、下流側で切替弁を介して中継管に接続され、この中継管が前記給水管に接続され、切替弁は、当該分岐通水管と中継管との連通と、当該分岐通水管と空気源との連通とを択一的に切替可能とされ、
平常時、切替弁は空気源との接続を遮断して前記分岐通水管と中継管とを連通し、配水管からの水が通水管の複数の分岐通水管を経て給水管へ供給され、
非常時、切替弁は中継管との接続を遮断して前記分岐通水管と空気源とを連通し、空気源から分岐通水管へ供給される加圧空気を給水圧として、複数の分岐通水管に存する水が給水管へ供給されることを特徴とする給水システム。
【請求項２】
給水系統の配水管に逆流防止手段を介して通水管が接続され、前記通水管に、給水設備に繋がる給水管が接続されて、配水管からの水が通水管を経由して給水管へ送られる給水システムであって、
通水管の上流端には、配水管と通水管との連通と、通水管と空気源との連通とを択一的に切り替える切替弁が配設され、逆流防止手段はこの切替弁の上流側に備えられ、
前記通水管は複数の分岐通水管を備えて、切替弁の下流側で複数の管路に分岐されるとともに給水管の上流側でこれらの管路が合流され、
平常時、切替弁は空気源との接続を遮断して配水管と通水管とを連通し、配水管からの水が通水管の複数の分岐通水管を経て給水管へ供給され、
非常時、切替弁は配水管との接続を遮断して通水管と空気源とを連通し、空気源から通水管へ供給される加圧空気を給水圧として、複数の分岐通水管に存する水が給水管へ供給されることを特徴とする給水システム。
【請求項３】
請求項１または２に記載の給水システムにおいて、
前記分岐通水管は複数のループ部を有するコイル管からなり、複数のループ部が平面方向にずらされた状態で延伸状に配管されていることを特徴とする給水システム。
【請求項４】
請求項１または２に記載の給水システムにおいて、
前記分岐通水管は複数の屈曲部を備えて折り返し状に配管されていることを特徴とする給水システム。
【請求項５】
請求項１〜４のいずれか一つの請求項に記載の給水システムにおいて、
通水管は水平方向に分岐されて、複数の分岐通水管が平面上に並列配置されてなることを特徴とする給水システム。
【請求項６】
請求項１〜４のいずれか一つの請求項に記載の給水システムにおいて、
通水管は高さ方向に分岐されて、複数の分岐通水管が上下に並列配置されてなることを特徴とする給水システム。
【請求項７】
請求項１〜５のいずれか一つの請求項に記載の給水システムにおいて、
配水管は複数の分岐接続口を有するヘッダユニットを備え、ヘッダユニットから分岐した配水管の一つに前記通水管が接続されていることを特徴とする給水システム。
【発明の詳細な説明】
【技術分野】
【０００１】
本発明は、水道水を供給する給水システムに係り、特に、平常時だけでなく非常時にも給水可能な給水システムに関する。
【背景技術】
【０００２】
近年、地震等の災害に備えて水道管の更新や耐震化が進められており、災害発生時に早期に上水道施設を復旧させて必要な水を供給できるようにするための対策が重要視されている。加えて、一般家庭においては、災害発生初期に利用可能な飲料水を確保しておくことが推奨されている。飲料水として必要な水の量は、１人当たり１日２〜３リットルといわれている。かかる量の飲料水を、上水道施設の復旧や応急給水体制が整うまでの間に利用できるようにしておくことが求められている。
【０００３】
非常時の給水手段としては、水道管から供給される水を貯水槽に溜めておき、非常時に貯水槽から水を取水して対応することが知られている。例えば、特許文献１には、埋設水道管の途中に設けられる非常用貯水装置が開示されている。この貯水装置は、両端に水道管が接続された貯水槽と、貯水槽よりも上流側の水道管に設けられて上流側への逆流を防ぐ逆止弁と、貯水槽よりも上流側の水道管に接続された空気供給管とを有する。非常時には、空気供給管から貯水槽に加圧空気が供給されて、貯水槽の水が下流側の水道管から吐出されるように構成されている。
【０００４】
また、特許文献２に記載の給水システムは、水道管から供給される水の貯水槽と、貯水槽の水をそれぞれ第１給水栓および第２給水栓に供給する第１配水管および第２配水管とを有して構成されている。第２給水栓には加圧装置を接続するための接続口が形成され、給水圧が作用しない非常時に、第２給水栓の接続口に加圧装置を接続して貯水槽を加圧し、第１給水栓を非常取水栓として貯水槽の水を出水する仕組みとされている。
【先行技術文献】
【特許文献】
【０００５】
【特許文献１】実用新案登録第３１３８１４７号公報
【特許文献２】特開２０１０−１８５２７２号公報
【発明の概要】
【発明が解決しようとする課題】
【０００６】
前記特許文献１に記載の貯水装置は、埋設された水道管路の途中に貯水槽を設けなければならず、装置が大型化し、貯水槽のための大きな設置スペースが必要になるという問題点があった。そのうえ、加圧空気を供給する空気供給管や、貯水槽の空気を外部に放出する空気抜き管を接続する必要性もあり、設置場所が限定されて、どのような建物にも適用できるものではなかった。
【０００７】
前記特許文献２に記載の給水システムにあっても、貯水槽を設置するための十分なスペースを確保することが難しいという問題点があった。加えて、死水の発生を防止するために、貯水槽から出水する第１給水栓を、貯水槽の底部に接続された配水管に限定して設置しなければならず、構造上、貯水槽の上部が空気溜まりとなりやすく、多湿の雰囲気に維持されるので、カビや雑菌が繁殖しやすいという問題点もあった。
【０００８】
このように貯水槽を用いた従来の非常用給水システムは、一般家庭や小規模な建物での利用を考慮すれば、必要とされる水量の貯水槽を設置するスペースを確保することができないという大きな問題点があった。さらに、貯水槽を大きくすると、槽内の滞留水の問題が顕著となり、貯水の置換性能が低下し、非常用の飲料水として衛生面での課題があった。
【０００９】
本発明は、上記のような問題点にかんがみてなされたものであり、その目的とするところは、大がかりな装置や貯水設備を必要とせず、狭小な設置スペースであっても採用することができ、非常時に衛生的な水を供給することのできる給水システムを提供することにある。
【課題を解決するための手段】
【００１０】
前記の目的を達成するための本発明に係る給水システムでは、給水系統の配水管に逆流防止手段を介して通水管が接続され、前記通水管に、給水設備に繋がる給水管が接続されて、配水管からの水を通水管を経由して給水管へ送るよう構成される。前記通水管は複数の分岐通水管を備えて、逆流防止手段の下流側で複数の管路に分岐されるとともに給水管の上流側でこれらの管路が合流される。前記分岐通水管のうちの一つは、下流側で切替弁を介して中継管に接続され、この中継管が前記給水管に接続され、前記切替弁は当該分岐通水管と中継管との連通と、当該分岐通水管と空気源との連通とを択一的に切替可能とされる。平常時、切替弁は空気源との接続を遮断して前記分岐通水管と中継管とを連通し、配水管からの水は通水管の複数の分岐通水管を経て給水管へ供給されるのに対し、非常時には、切替弁は中継管との接続を遮断して前記分岐通水管と空気源とを連通し、空気源から分岐通水管へ供給される加圧空気を給水圧として、複数の分岐通水管に存する水が給水管へ供給されることを特徴としている。
【００１１】
この特定事項により、給水系統の通常の給水圧が作用する時は、配水管からの水が複数の分岐通水管を流れて給水管から給水設備へ供給されて利用される。一方、地震等によって断水し、給水圧が作用しない非常時には、切替弁を切り替えて分岐通水管と空気源とを連通させることで、この分岐通水管から中継管を経由した給水管への流路が遮断される。これにより、空気源からの加圧空気を給水圧として、複数の分岐通水管に存する水を給水管へ送ることができ、水の利用が可能となる。複数の分岐通水管の水は、平常時に、滞留することなく流通していた水であって、常に新しい水に入れ替わっていた水である。そのため、分岐通水管の水は、平常時に利用する水と大差がなく、衛生的な水として非常時に供給することができる。また、非常時に利用する水を、通水管の複数の分岐通水管に分散させて保持するので、大きな設置スペースを必要とせず、多様な建物に適用することができ、非常時の水利用に備えることが可能となる。
【００１２】
また、本発明に係る給水システムは、通水管の上流端に、配水管と通水管との連通と、通水管と空気源との連通とを択一的に切り替える切替弁が配設されて、逆流防止手段はこの切替弁の上流側に備えられた構成であってもよい。この場合、前記通水管は複数の分岐通水管を備えて、切替弁の下流側で複数の管路に分岐されるとともに給水管の上流側でこれらの管路が合流される。平常時、切替弁は空気源との接続を遮断して配水管と通水管とを連通し、配水管からの水が通水管の複数の分岐通水管を経て給水管へ供給され、非常時、切替弁は配水管との接続を遮断して通水管と空気源とを連通し、空気源から通水管へ供給される加圧空気を給水圧として、複数の分岐通水管に存する水が給水管へ供給されることを特徴としている。
【００１３】
この特定事項により、非常時には、切替弁を切り替えて通水管と空気源とを連通させることで、配水管から通水管への流路が遮断され、空気源からの加圧空気を給水圧として、複数の分岐通水管に保持された衛生的な水を給水管へ送ることができる。従来の貯水槽に比べて、複数の分岐通水管は大きな設置スペースを必要としないので、多様な建物に適用して非常時の水利用に備えることができる。
【００１４】
前記給水システムにおける、より具体的な構成として、前記分岐通水管は複数のループ部を有するコイル管からなり、複数のループ部を平面方向にずらして延伸状に配管されることが好ましい。また、前記分岐通水管は複数の屈曲部を備えて折り返し状に配管されてもよい。
【００１５】
これらの特定事項により、分岐通水管を狭小な空間であっても集約して配設することができる。そのため、分岐通水管の配管延長を、非常時に利用するのに必要な水量に対応させた長さとしても、大きな設置スペースが必要とはならず、非常時に備えた給水システムを多様な建物に適用することができる。
【００１６】
また、前記給水システムにおいて、通水管は水平方向に分岐されて、複数の分岐通水管が平面上に並列配置されることが好ましい。あるいは、通水管は高さ方向に分岐されて、複数の分岐通水管が上下に並列配置されてもよい。
【００１７】
これらの特定事項によっても、分岐通水管の配管延長を、非常時に利用するのに必要な水量に対応させた長さとすることができ、複数の分岐通水管を多様な形態の建物に対応させて配設して、大きな設置スペースを必要とすることなく非常時に備えた給水システムを適用することができる。
【００１８】
また、前記給水システムにおいて、配水管は複数の分岐接続口を有するヘッダユニットを備えて、ヘッダユニットから分岐した配水管の一つに前記通水管が接続されてもよい。
【００１９】
これにより、既存の給水配管系統に前記通水管等を組み込んで設置することが可能となり、非常時用の給水システムとして平常時の給水システムから独立して設けずともよく、多様な形態の建物に対応させることができる。
【発明の効果】
【００２０】
本発明に係る給水システムは、大がかりな装置や貯水設備を必要としないので、狭小な設置スペースであっても十分に適用することが可能であり、平常時のみならず非常時にも衛生的な水を容易に供給することが可能となる。
【図面の簡単な説明】
【００２１】
【図１】本発明の実施形態１に係る給水システムを示す説明図である。
【図２】前記給水システムにおける通水管の一部を示す側面図である。
【図３】本発明の実施形態２に係る給水システムを示す説明図である。
【図４】本発明の実施形態３に係る給水システムを示す説明図である。
【図５】本発明の実施形態４に係る給水システムを示す説明図である。
【図６】本発明の実施形態５に係る給水システムを示す説明図である。
【発明を実施するための形態】
【００２２】
以下、本発明の実施形態に係る給水システムについて、図面を参照しつつ説明する。
【００２３】
（実施形態１）
図１は、本発明の実施形態１に係る給水システムを模式的に示した説明図である。給水系統の配水管１は、建物内の各給水設備に水道水を供給する。上流側の配水管１は、通水管３に接続され、さらに、給水設備につながる給水管６に接続されている。これらの配水管１、通水管３、および給水管６は、建物の居室の床下空間に床転がし配管として配管されている。
【００２４】
例示の形態に係る配水管１には、複数の接続口２２を有するヘッダユニット２が備えられている。ヘッダユニット２は、ヘッダ本体２１の側面に複数の接続口２２を有する。配水管１はヘッダユニット２により複数の管路に分岐されている。接続口２２には、下流側の配水管１、１ａが管継手を介して接続されている。複数の接続口２２のうちの一つから延びる配水管１には、逆流防止手段を介して通水管３が接続されている。
【００２５】
通水管３は、分岐通水管としての第１通水管３１と第２通水管３２との２つの管路に分岐して配管されている。第１通水管３１および第２通水管３２は、分岐管継手（チーズ）４を介して接続され、２方向に配管されている。逆流防止手段としての逆止弁は、分岐管継手４に内蔵されており、配水管１と通水管３との間で水の逆流を防止している。
【００２６】
これにより、配水管１は、分岐管継手４の逆止弁の下流側で、通水管３としての第１通水管３１と第２通水管３２に接続されている。第１通水管３１と第２通水管３２とは、これらの下流端で合流管継手（チーズ）５に接続され、合流管継手５を介して給水管６に接続されている。
【００２７】
第１通水管３１および第２通水管３２は、共通の管径を有する合成樹脂管から構成される。図１に示す形態では、これらの通水管３１、３２は、水が螺旋状に旋回しながら下流方向へ流れるように、複数のループ部３３を備えて配設されている。
【００２８】
例えば、第１通水管３１および第２通水管３２は、それぞれ、長尺の管体が一定の巻き径でコイル状に巻かれて形成されたコイル管からなる。図２に示すように、各通水管３１、３２は、連続する複数のループ部３３が、その巻き面と平行な方向に互いにずらされ、設置面に沿うように押し拡げられて配管されている。複数のループ部３３は、部分的に重なり合い、通水管３の設置面に対して斜めに傾いて並べられている。このように、第１通水管３１および第２通水管３２は、複数のループ部３３を平面方向に相互にずらした状態で配設されて、これらのループ部３３の並び方向に延伸されている。
【００２９】
通水管３として分岐された第１通水管３１には、下流の合流管継手５との間に、切替弁７と中継管３５とが介在されている。切替弁７は、中継管３５に連通する１つの出力ポートと、この出力ポートに選択的に連通される２つのポートを備えている。２つのポートのうちの一方は第１通水管３１に接続され、他方は、第１通水管３１内に加圧空気を送り込む空気源８に接続可能とされている。空気源８は空気供給ホース８１および図示しない逆止弁を介して切替弁７に接続される。切替弁７には三方切替弁が内蔵されている。この切替弁７は、第１通水管３１と中継管３５との連通と、第１通水管３１と空気源８との連通とを、手動により択一的に切り替え可能とされている。
【００３０】
切替弁７において、空気源８との接続を遮断し、第１通水管３１と中継管３５とを連通させると、配水管１からの水は第１通水管３１と第２通水管３２との両方の管路を通って給水管６へ供給される。一方、切替弁７において、中継管３５との接続を遮断し、第１通水管３１と空気源８とを連通させると、空気源８からの加圧空気を第１通水管３１へ送り込むことができる。
【００３１】
第１通水管３１に加圧空気が流入すると、第１通水管３１に存在する水が下流側から上流側へ向かって圧送される。つまり、空気源８から第１通水管３１に供給される加圧空気を給水圧として、第１通水管３１および第２通水管３２に保持されている水が給水管６へ送られる。このとき、第１通水管３１における水の流れは、下流側から上流側へ向かう流れとなる。通水管３の水は、第２通水管３２の下流側に保持されている水から順に給水管６へ送られ、第１通水管３１の水も分岐管継手４を経由して第２通水管３２へ向かって流れる。
【００３２】
平常時には、切替弁７により空気源８との接続が遮断されて、第１通水管３１と中継管３５とが連通されている。通水管３へ送られた水は、第１通水管３１と第２通水管３２とを流れた後、合流して給水管６へ供給され、下流端の給水設備で使用される。
【００３３】
これに対し、非常時には、切替弁７を切り替え、中継管３５との接続を遮断し、第１通水管３１と空気源８とを連通させる。これにより、空気源８から第１通水管３１へ加圧空気が供給される。この加圧空気を給水圧として、第１通水管３１および第２通水管３２の水が、第１通水管３１から第２通水管３２に向かって流れる流れとなって、給水管６へ供給される。給水管６の下流端に設けられた給水栓を開放すれば、通水管３が保持する衛生的な水を容易に取水することができる。
【００３４】
平常時に通水管３を流れる水は、給水管６に接続する給水設備において出水されることで、常に新たな水に入れ替わっている。そのため、通水管３には水が滞留することなく流通している。非常時に切替弁７を切り替えて取水する水は、第１通水管３１および第２通水管３２に貯留していた水ではなく、流通して入れ替わりのあった水である。したがって、通水管３の第１通水管３１と第２通水管３２とが保持する水は、衛生的な水であり、非常時に飲料用の水として取水するのにも好適なものとなる。
【００３５】
このような給水システムでは、図１に示すように、各通水管３１、３２は、複数のループ部３３を含む管路の総延長に対して、ループ部３３の並び方向の配管距離Ｌを大幅に短縮することができる。すなわち、距離Ｌの区間に管路を直線状に設ける場合に比べて、ループ部３３を含む管路は十分に長くなり、通水管３に保持される水量を大幅に増大させることができる。
【００３６】
また、通水管３は、水平方向に分岐されて、第１通水管３１と第２通水管３２とが平面上に並列に配置されている。このように、通水管３は複数の管路を有するので、分岐した管路の本数の分だけ、保持する水量を増大させることができる。したがって、非常時の必要水量に応じて、通水管３を、第１通水管３１、第２通水管３２、第３通水管…と増設することで、大がかりな装置を用いずとも所要の水量を確保することが可能となる。
【００３７】
加えて、通水管３は、複数のループ部３３を平面方向に相互にずらした状態で配設されるので、設置面からの配管高さを低く抑えて配管することができる。このため、居室の床下空間のように、高さが低い狭小なスペースであっても無理なく配管することができる。
【００３８】
なお、前記の形態において、切替弁７には、逆止弁を内蔵する切替弁を用いて、空気源８を、アダプタを介して切替弁７の接続口に接続する構成としてもよい。空気源８には、例えば、自転車用の手動空気ポンプや足踏み式の空気ポンプなどを用いることができ、アダプタを介して切替弁７の逆止弁に接続可能とすることが好ましい。また、通水管３が保持する水を、非常時に飲料用の水として供給することを前提とすれば、給水管６は台所や洗面所等の利用しやすい給水栓に接続されていることが好ましい。
【００３９】
（実施形態２）
本発明の給水システムは、図１に示した配管形態以外にも多様な形態にて実施することができる。以下に説明する各実施形態の給水システムは、前記実施形態１と基本構成が同様であることから、共通する構成要素には前記実施形態１と共通の符号を用いて示し、その重複する説明を省略する。
【００４０】
実施形態１に係る給水システムでは、通水管３は水平方向に分岐されて、第１通水管３１および第２通水管３２が平面上に並列に配置された構成であった。図３に示す実施形態２に係る給水システムでは、通水管３は高さ方向に分岐されている。この場合、分岐した第１通水管３１と第２通水管３２とは、上下に並べて配設されている。上方に配設された第１通水管３１は、下流側に切替弁７と中継管３５とを介在させて合流管継手５に接続されている。切替弁７には空気源８および空気供給ホース８１が接続されている。第２通水管３２も下流端で合流管継手５に接続され、給水管６に接続されている。これにより、第１通水管３１と第２通水管３２とは、上下に並べて配管され、並列に接続されている。
【００４１】
例えば床下空間の配管スペースとして、高さを十分に確保できる場合や、広い面積を有しない場合などには、このような配管形態を採用することで、本発明に係る給水システムを好適に実施することができる。実施形態１と同様に、通水管３に流通する水は衛生的であるので、切替弁７を切り替えることで非常時の飲料用の水として容易に利用することができる。
【００４２】
（実施形態３）
図４に示す実施形態３に係る給水システムは、前記実施形態２と同様に、通水管３が高さ方向に分岐されている。さらに、分岐された通水管３１、３２は、一方が床下空間に配管され、他方が天井裏空間または上層階の床下空間に配管される。
【００４３】
例えば、第１通水管３１が上方へ配管される場合、第１通水管３１における複数のループ部３３を有する部分は居室の天井裏に配管され、高さ方向に延びる直管部分３１１は壁体内やパイプスペースに配管される。さらに、第１通水管３１の下流側は、第２通水管３２と同じ高さレベルまで引き下ろされ、切替弁７および中継管３５を介して合流管継手５に接続される。切替弁７には空気源８および空気供給ホース８１が接続されている。第１通水管３１に設けられる切替弁７は、第２通水管３２に近い高さレベルで設置されることが好ましく、これにより切替弁７の操作性が向上する。第２通水管３２も、下流端で合流管継手５に接続され、給水管６に接続されている。
【００４４】
これにより、第１通水管３１と第２通水管３２とは、上方と下方とにそれぞれ配管され、並列に接続されている。床下空間に高さと面積とを確保できない場合には、このような配管形態を採用することで、本発明に係る給水システムを好適に実施することができる。この形態にあっても、実施形態１、２と同様に、通水管３に流通する水は衛生的であるので、非常時の飲料用の水としても好適に利用することができる。また、第１通水管３１が第２通水管３２より高所に配設されていることで、水の取り出しに水頭圧を利用することができ、非常時の給水性能を一層高めることができる。
【００４５】
（実施形態４）
図５に示す実施形態４に係る給水システムは、通水管３が水平方向に分岐されている点は実施形態１と同様である。この形態では、通水管３の第１通水管３１および第２通水管３２が複数の屈曲部３４を備えた配管形状とされている。
【００４６】
例示する第１通水管３１および第２通水管３２は、管路の中途部の複数箇所において略Ｕ字形の屈曲部３４を有しており、一定の範囲内で折り返し状に配管されている。これらの通水管３１、３２は、上流側から下流側まで直線状に配設され、下流側に屈曲部３４が設けられ、再び上流側まで直線状に配設され、上流側に屈曲部３４が設けられて、上流側と下流側との間を往復形状に配管されている。配水管１から通水管３に送られた水は、第１通水管３１と第２通水管３２とに分岐され、上流側と下流側との間を往復するように流れながら、最終的には合流管継手５にて合流し、給水管６へ送られる。第１通水管３１は、下流側に切替弁７と中継管３５とを介在させて合流管継手５に接続されている。
【００４７】
床下空間の配管スペースとして、高さが十分ではないが面積を確保できるような場合には、このような配管形態を採用することで、本発明に係る給水システムを好適に実施することができる。前記各実施形態と同様に、通水管３に流通する水は衛生的であるので、非常時の飲料用の水としても好適に利用することができる。
【００４８】
なお、第１通水管３１および第２通水管３２は、複数の屈曲部３４を有する配管形状として、図５に示す、上流側と下流側とを往復する配管形状には限られない。すなわち、例えば、第１通水管３１および第２通水管３２は、通水管３の分岐方向Ｘに往復する配管形状とされて、複数の屈曲部３４が設けられてもよい。
【００４９】
（実施形態５）
図６に示す実施形態５に係る給水システムは、通水管３の上流端に切替弁７が配設されている。切替弁７は、配水管１と通水管３との連通と、通水管３と空気源８との連通とを手動により択一的に切り替え可能とされている。空気源８は、空気供給ホース８１および図示しない逆止弁を介して切替弁７に接続されている。この場合、切替弁７は逆流防止手段としても機能する。通水管３は、切替弁７の下流側で第１通水管３１と第２通水管３２との複数の管路に分岐され、給水管６の上流側でこれらの管路が合流されている。
【００５０】
第１通水管３１および第２通水管３２は、一定の巻き径でコイル状に巻かれ、複数のループ部３３を平面方向に相互にずらした状態で配設されているが、前記実施形態１の場合とは、コイル状の巻き方が反対とされている。複数のループ部３３は、上流側のループ部３３に対して、これに隣り合う下流側のループ部３３が、下方に順に重ねて配管されている。
【００５１】
この形態では、平常時、切替弁７は空気源８との接続を遮断して配水管１と通水管３とを連通する。配水管１からの水は、通水管３の第１通水管３１と第２通水管３２とを流れて合流管継手５で合流し、給水管６へ供給される。
【００５２】
非常時には、切替弁７を切り替え、配水管１との接続を遮断するとともに通水管３と空気源８とを連通する。空気源８から通水管３へと加圧空気を供給することにより、この加圧空気を給水圧として、第１通水管３１および第２通水管３２に流通する水を給水管６へ供給することができる。給水管６の下流端で給水栓を開放すれば、通水管３の衛生的な水を容易に取水することができる。
【００５３】
このように、切替弁７は、本給水システムを適用する建物や居室の形態などに応じて、通水管３の上流側と下流側とのどちら側に設置されてもよい。例えば、切替弁７の切り替え操作を行いやすい場所や、非常時に使用しやすい給水栓の近傍に、切替弁７が設置されることが好ましい。
【００５４】
（他の実施形態）
本発明に係る給水システムは、前記の実施形態以外にも他の様々な形で実施することができる。例えば、配水管１の下流で分岐される通水管３の分岐通水管の本数は、上記実施形態に示したように２本に限らず、３本以上であってもよい。また、分岐通水管は複数本がまとめられてコイル状に配管されてもよい。通水管３は、上流の配水管１側から、下流の給水管６側に向かって下り勾配で配設されてもよく、配管勾配は限定されない。前記実施形態は例示であって、限定的なものではない。
【００５５】
（実施例）
本発明に係る給水システムを、非常用の飲料水の確保を目的として実施する場合、多様な建物の居室の床下空間または天井裏空間を利用して設置することができる。実施例として一般家庭での適用を想定すると、戸建て住宅であれば１階居室の床下空間に比較的広い設置スペースを確保することが可能となる。集合住宅であっても、通常は床転がし配管のために、床スラブと床仕上材との間の床下空間に、少なくとも２００ｍｍ程度の高さの配管スペースが設けられている。２００ｍｍ程度の高さの床下空間があれば、上記給水システムを設けることは十分に可能であり、居住空間を狭めることなく非常時の水利用に備えることができる。
【００５６】
飲料水が１人あたり１日に２リットル必要であると想定すると、４人家族の場合で、非常時の３日間に必要となる飲料水は合計で２４リットルとなる。
【００５７】
例えば、呼び径２５Ａの合成樹脂管（体積０．５６リットル／ｍ）を通水管３として使用すると、２４リットルの飲料水のために必要な配管延長は約４３ｍであり、第１通水管３１と第２通水管３２とに分岐させて配管すれば、各通水管３１、３２の配管延長は２１．５ｍとなる。これを、図１に示したように、複数のループ部３３を平面方向にずらして延伸状に配管し、ループ部３３の直径を０．５ｍとすれば、ループ部３３の並び方向の配管距離Ｌは概ね３〜４ｍで足りる。したがって、キッチンや洗面所の床下空間にも、かかる通水管３の設置スペースを確保することは十分に可能であると考えられる。
【００５８】
また、図１に示す配管形態の場合に、呼び径３０Ａの合成樹脂管（体積０．８９リットル／ｍ）を通水管３として使用すると、２４リットルの飲料水のために必要な配管延長は約２７ｍであり、第１通水管３１と第２通水管３２とに分岐させて配管すれば、各通水管３１、３２の配管延長は１３．５ｍとなって、さらに配管距離Ｌを短縮することができる。
【００５９】
１日に必要な飲料水の量を１人あたり３リットルと想定すると、４人家族の場合で、非常時の３日間に必要な飲料水は合計で３６リットルとなる。呼び径３０Ａの合成樹脂管を通水管３として使用すると、３６リットルの飲料水のために必要な配管延長は約４０ｍであり、第１通水管３１と第２通水管３２とに分岐させて配管すれば、各通水管３１、３２の配管延長は約２０ｍとなる。この場合にも、ループ部３３の直径を０．５ｍとすると、ループ部３３の並び方向の配管距離Ｌは３〜４ｍで足りるので、キッチンや洗面所の床下空間にも十分に配管可能な長さとなる。
【００６０】
水道水の宅内給水管は、通常、呼び径が１３Ａや２０Ａの配管とされることが多く、呼び径が２５Ａや３０Ａの合成樹脂管を通水管３として採用しても、給水経路における管径が通水管３の前後で極端に変化するものとはならない。したがって、給水システムとして、安定的な給水性能と水の置換性能とを備えさせることができ、非常時の飲料用水を十分に確保することができる。
【００６１】
このように本発明に係る給水システムは、多様な形態の建物に適用することが可能であって、既存の給水系統の配管部にも容易に組み込むことができる。したがって、かかる給水システムを新規の建物に対して適用するだけでなく、既存の建物に対しても良好に適用することができ、非常時に備えて容易に取り入れることが可能である。
【産業上の利用可能性】
【００６２】
本発明は、非常時に給水可能な給水システムとして好適に利用可能である。
【符号の説明】
【００６３】
１    配水管
２    ヘッダユニット
２１  ヘッダ本体
２２  接続口
３    通水管
３１  第１通水管
３２  第２通水管
３３  ループ部
３４  屈曲部
３５  中継管
４    分岐管継手
５    合流管継手
６    給水管
７    切替弁
８    空気源
【図１】
2017053136.tif 000003
【図２】
2017053136.tif 000004
【図３】
2017053136.tif 000005
【図４】
2017053136.tif 000006
【図５】
2017053136.tif 000007
【図６】
2017053136.tif 000008